(57)【要約】【課題】ＯＬＴのリセット後のフィルタ情報を再構築する際に、端末装置に対するフィルタ情報収集を行うことなく、ＯＬＴとＯＮＵとにおいてフィルタ情報の同期を素早く実現するＯＬＴを得る。【解決手段】フィルタ情報を含み、マルチキャストフレームの転送先を管理するマルチキャスト管理テーブルを記憶する揮発性記憶手段４１１ａと、ＣＯＮＴ４２によるリセット命令に応じて揮発性記憶手段４１１ａに記憶されたフィルタ情報を含むマルチキャスト管理テーブルを不揮発性記憶手段４１２ａに一旦退避させてからＰＯＮ−ＩＦ４１ａをリセットし、不揮発性記憶手段４１２ａから揮発性記憶手段４１１ａにフィルタ情報を含むマルチキャスト管理テーブルを書き戻す情報移動手段４１４ａと、揮発性記憶手段４１１ａに書き戻されたフィルタ情報をＯＮＵ２ａに転送すると共に、設定要求する情報転送手段４１５ａとを備えた。【選択図】図２
2013162158.tif 000002
【特許請求の範囲】
【請求項１】
マルチキャスト制御信号に応じて設定されたフィルタ情報を含み、マルチキャストフレームの転送先を管理するマルチキャスト管理テーブルを記憶する揮発性記憶手段と、
上記フィルタ情報を含む上記マルチキャスト管理テーブルに基づいてマルチキャストフレームの転送先を制御する転送制御手段と、
当該局側装置をリセットするリセット命令を出力する監視手段と、
上記監視手段によるリセット命令に応じて上記揮発性記憶手段に記憶された上記フィルタ情報を含む上記マルチキャスト管理テーブルを不揮発性記憶手段に一旦退避させてから当該局側装置をリセットし、該不揮発性記憶手段から該揮発性記憶手段に該フィルタ情報を含む該マルチキャスト管理テーブルを書き戻す情報移動手段と、
上記揮発性記憶手段に書き戻された上記フィルタ情報を加入者側装置に転送すると共に、設定要求する情報転送手段とを備えた局側装置。
【請求項２】
情報転送手段は、
端末装置に視聴中の有無を確認し、該応答に応じてフィルタ情報を書き換え、該書き換えられたフィルタ情報を加入者側装置に転送すると共に、設定要求することを特徴とする請求項１記載の局側装置。
【請求項３】
揮発性記憶手段、転送制御手段、情報移動手段、および情報転送手段は、
インタフェース手段に設けられ、
不揮発性記憶手段は、
監視手段に設けられたことを特徴とする請求項１または請求項２記載の局側装置。
【請求項４】
端末装置を収容した複数の加入者側装置と、
上記複数の加入者側装置と光伝送媒体を介して接続された請求項１から請求項３のうちのいずれか１項記載の局側装置とが通信を行う光通信システムにおいて、
上記加入者側装置は、
上記局側装置により設定要求されたフィルタ情報に基づいてマルチキャストフレームの転送先を制御することを特徴とする光通信システム。
【発明の詳細な説明】
【技術分野】
【０００１】
本発明は、フィルタ情報の同期を実現する局側装置および光通信システムに関する。
【背景技術】
【０００２】
ＰＯＮ（Ｐａｓｓｉｖｅ  Ｏｐｔｉｃａｌ  Ｎｅｔｗｏｒｋ）システムにおけるマルチキャスト通信について、上位ネットワークの映像配信サーバから送出されたマルチキャストフレームを、ＯＮＵ（Ｏｐｔｉｃａｌ  Ｎｅｔｗｏｒｋ  Ｕｎｉｔ）配下の端末装置へ転送するとき、各中継ノードにおけるマルチキャストフレームの転送可否（透過・廃棄設定）を、マルチキャスト管理テーブルで管理する方式がある。
【０００３】
ネットワーク回線への負荷を軽減するため、マルチキャストフレームの転送は、そのマルチキャストフレームの転送を要求した端末装置を含む局所的なネットワークセグメントのみに透過するように設定され、転送を要求していない他のネットワークセグメントでは、そのセグメントと上位ネットワークとの接続点におけるノードにて、転送不要なマルチキャストフレームを廃棄するように設定することが望ましい。
【０００４】
マルチキャスト管理テーブルには、それを保持する装置の配下にあるノードに対してのフィルタ情報が設定されているため、ＯＬＴ（Ｏｐｔｉｃａｌ  Ｌｉｎｅ  Ｔｅｒｍｉｎａｌ）、ＯＮＵおよび端末装置の保有するマルチキャスト管理テーブルにはエントリ数などの違いはあるが、視聴要求を行ったネットワークの末端装置（ＭＡＣアドレスと１対１に対応）に対して確実にマルチキャストフレームを転送するため、個々のＭＡＣアドレスに対する透過・廃棄設定は、ＯＬＴ、ＯＮＵおよび端末装置の持つそれぞれのマルチキャスト管理テーブルで一致（同期）していなければならない。
【０００５】
下記特許文献１では、マルチキャストフレームの高速転送を実現するとともに、ＯＬＴが配下のＯＮＵのマルチキャストフレームの転送を一括管理できるＰＯＮシステムが示されている。この特許文献１では、ＯＬＴはＯＮＵから送信されたマルチキャスト制御信号を受信するとマルチキャスト管理テーブルの内容を更新し、その変更内容に応じて対象のＯＮＵのフィルタ情報を遠隔で設定する。
【０００６】
下記特許文献２では、端末装置としてＳＴＢが接続されているＰＯＮシステムのマルチキャスト通信について、エンドユーザの正確な視聴情報を取得するＰＯＮシステムを示している。この特許文献２でも、ＯＬＴはＳＴＢからの視聴要求に基づいてフィルタ情報を更新し、ＯＮＵのフィルタ情報を設定することによって、ＯＬＴとＯＮＵのフィルタ情報が同期されている。
【０００７】
ＯＬＴ、ＯＮＵおよび端末装置の各装置は、個々にマルチキャスト管理テーブルを保有しており、かつ管理テーブル内のフィルタ情報は、全装置間で同期していなければならない。しかし、例えば、Ｆ／Ｗ（Ｆｉｒｍ  Ｗａｒｅ）更新などに伴うリセット実施時には、リセット対象の装置が保持するマルチキャスト管理テーブルは初期化されてしまい、リセット対象外の装置の保持する管理テーブルとの間に状態の不一致が発生する。
【０００８】
また、リセット実施中はリセット中の装置の配下にいるエンドユーザは一切の通信ができなくなるため、リセット後は素早く通信可能な状態に復旧することが要求され、マルチキャスト管理テーブルの復旧もその一つである。
【先行技術文献】
【特許文献】
【０００９】
【特許文献１】特開２０１０−１６７５３号公報
【特許文献２】特開２００８−１６０７１８号公報
【発明の概要】
【発明が解決しようとする課題】
【００１０】
従来のＰＯＮシステムは以上のように構成されていたので、ＯＬＴがリセットされると、リセット後にＯＬＴは、全ての端末装置に対してフィルタ情報の取得要求を発行して、全ての端末装置から取得されるフィルタ情報に基づいてＯＬＴのマルチキャスト管理テーブルを再構築し、それを配下のＯＮＵへ展開することでマルチキャスト通信を復旧していた。
【００１１】
しかし、全ての端末装置に対してフィルタ情報の取得要求を発行したり、全ての端末装置から取得されるフィルタ情報に基づいてＯＬＴのマルチキャスト管理テーブルを再構築するのでは、リセット後にフィルタ情報の同期を素早く実現することができないなどの課題があった。
【００１２】
本発明は、上記のような課題を解消するためになされたものであり、局側装置のリセット後のフィルタ情報を含むマルチキャスト管理テーブルを再構築する際に、端末装置に対するフィルタ情報収集を行うことなく、局側装置と加入者側装置とにおいてフィルタ情報の同期を素早く実現する局側装置および光通信システムを得ることを目的とする。
【課題を解決するための手段】
【００１３】
本発明の局側装置は、マルチキャスト制御信号に応じて設定されたフィルタ情報を含み、マルチキャストフレームの転送先を管理するマルチキャスト管理テーブルを記憶する揮発性記憶手段と、フィルタ情報を含むマルチキャスト管理テーブルに基づいてマルチキャストフレームの転送先を制御する転送制御手段と、局側装置をリセットするリセット命令を出力する監視手段と、監視手段によるリセット命令に応じて揮発性記憶手段に記憶されたフィルタ情報を含むマルチキャスト管理テーブルを不揮発性記憶手段に一旦退避させてから局側装置をリセットし、不揮発性記憶手段から揮発性記憶手段にフィルタ情報を含むマルチキャスト管理テーブルを書き戻す情報移動手段と、揮発性記憶手段に書き戻されたフィルタ情報を加入者側装置に転送すると共に、設定要求する情報転送手段とを備えたものである。
【発明の効果】
【００１４】
本発明によれば、リセット直前のフィルタ情報を含むマルチキャスト管理テーブルを退避させ、その後、書き戻し、書き戻されたフィルタ情報を加入者側装置に転送するようにしたので、局側装置のリセット後のフィルタ情報を含むマルチキャスト管理テーブルを再構築する際に、端末装置に対するフィルタ情報収集を行うことなく、局側装置と加入者側装置とにおいてフィルタ情報の同期を素早く実現することができる効果がある。
【図面の簡単な説明】
【００１５】
【図１】本発明の実施の形態１によるＰＯＮシステムの全体構成を示す構成図である。
【図２】本発明の実施の形態１によるＰＯＮシステムの詳細構成を示す構成図である。
【図３】本発明の実施の形態１によるＰＯＮシステムの処理を示すシーケンス図である。
【図４】本発明の実施の形態２によるＰＯＮシステムの詳細構成を示す構成図である。
【図５】本発明の実施の形態２によるＰＯＮシステムの処理を示すシーケンス図である。
【発明を実施するための形態】
【００１６】
以下、この発明の実施の形態について図面を参照しながら詳細に説明する。
実施の形態１．
図１は本発明の実施の形態１によるＰＯＮシステムの全体構成を示す構成図であり、図１において、ＰＯＮシステム（光通信システム）は、端末装置１ａ〜１ｃ、ＯＮＵ（加入者側装置）２ａ〜２ｃ、光スプリッタ３、ＯＬＴ（局側装置）４、および上位ネットワーク５により構成される。
また、上位ネットワーク５は、レイヤ２スイッチ６、マルチキャストルータ７、および映像配信サーバ８により構成される。
【００１７】
端末装置１ａ〜１ｃは、映像配信の終端装置（ＳＴＢ）やホームゲートウェイなどの端末である。ＯＮＵ２ａ〜２ｃは、端末装置を収容する装置である。
また、ＯＮＵ２ａは、端末装置１ａ〜１ｃからマルチキャストフレームの視聴要求のあるマルチキャスト制御信号を受信すると、そのマルチキャスト制御信号をＯＬＴ４に配信する処理や、ＯＬＴ４から配信されたマルチキャストフレームに対して、ＯＮＵ２ａの持つフィルタ情報に基づき、そのマルチキャストフレームの廃棄や、収容している端末装置に転送するフィルタリング処理などを実施する。
【００１８】
光スプリッタ３は、光信号の伝送媒体である光ファイバを分岐する機器である。
ＯＬＴ４は、光スプリッタ３および光ファイバを介してＯＮＵ２ａ〜２ｃに接続され、ＯＮＵ２ａ〜２ｃとイーサネット（登録商標）通信を行う。また、上位ネットワーク５から配信されたマルチキャストフレームをＯＮＵ２ａ〜２ｃに配信するとともに、ＯＮＵ２ａ〜２ｃの保持するフィルタ情報を遠隔で設定する機能を有し、マルチキャストフレームの転送対象を制御する。
【００１９】
上位ネットワーク５は、ＯＬＴ４に接続されており、ＯＬＴ４に対してマルチキャストフレームを配信する。
上位ネットワーク５において、レイヤ２スイッチ６は、マルチキャストルータ７から配信されたマルチキャストフレームをＯＬＴ４へ転送する処理や、ＯＬＴ４から送信されたマルチキャスト制御信号をマルチキャストルータ７へ転送する処理を実施する。
マルチキャストルータ７は、映像配信サーバ８から配信されたマルチキャストフレームを受信すると、ＯＬＴ４から送信されたマルチキャスト制御信号に従い、マルチキャストフレームの受信を要求するＯＬＴ４へ到達するようにマルチキャストフレームのヘッダ情報を編集したのち、編集したマルチキャストフレームをレイヤ２スイッチ６へ転送する。
映像配信サーバ８は、マルチキャストルータ７に接続されており、マルチキャストフレームを配信する装置である。
【００２０】
なお、図１では、端末装置とＯＮＵが３台設置された例を示したが、設置台数は３台に限定されるものではなく、４台以上設置されていても良い。
また、ＯＮＵ２ａに端末装置１ａ〜１ｃが接続された例を示したが、他のＯＮＵ２ｂ，２ｃに端末装置が接続されていても良い。
【００２１】
図２は本発明の実施の形態１によるＰＯＮシステムの詳細構成を示す構成図であり、図２において、端末装置１ａに末端装置９ａ〜９ｃが接続され、ＯＮＵ２ａに端末装置１ａ〜１ｃが接続され、光スプリッタ３にＯＮＵ２ａ〜２ｃが接続される。
【００２２】
また、ＯＬＴ４は、ＰＯＮ−ＩＦ（インタフェース手段）４１ａ〜４１ｎ、およびＣＯＮＴ（監視手段）４２により構成される。
ＯＬＴ４のＰＯＮ−ＩＦ４１ａが、光スプリッタ３および光ファイバを介してＯＮＵ２ａ〜２ｃに接続される。
なお、図２では、ＰＯＮ−ＩＦ４１ａにＯＮＵ２ａ〜２ｃが接続された例を示したが、他のＰＯＮ−ＩＦ４１ｂ〜４１ｎにＯＮＵ２ａ〜２ｃが接続されていても良い。
【００２３】
ＰＯＮ−ＩＦ４１ａにおいて、揮発性記憶手段４１１ａは、マルチキャスト制御信号に応じて設定されたフィルタ情報を含み、マルチキャストフレームの転送先を管理するマルチキャスト管理テーブルを記憶する。
不揮発性記憶手段４１２ａは、フィルタ情報を含むマルチキャスト管理テーブルをリセット時に一旦記憶する。
【００２４】
転送制御手段４１３ａは、フィルタ情報を含むマルチキャスト管理テーブルに基づいてマルチキャストフレームの転送先を制御する。
情報移動手段４１４ａは、ＣＯＮＴ４２によるリセット命令に応じて揮発性記憶手段４１１ａに記憶されたフィルタ情報を含むマルチキャスト管理テーブルを不揮発性記憶手段４１２ａに退避させてからＰＯＮ−ＩＦ４１ａをリセットし、その後、不揮発性記憶手段４１２ａから揮発性記憶手段４１１ａにフィルタ情報を含むマルチキャスト管理テーブルを書き戻す。
情報転送手段４１５ａは、揮発性記憶手段４１１ａに書き戻されたフィルタ情報をＯＮＵに転送すると共に、設定要求する。
【００２５】
また、ＣＯＮＴ４２は、ＯＬＴ４内のＰＯＮ−ＩＦ４１ａ〜４１ｎの監視などを行うものであり、本実施の形態１では、主に揮発性記憶手段４１１ａをリセットするリセット命令を出力する。
【００２６】
図２におけるＯＬＴ４内のＰＯＮ−ＩＦ４１ａ〜４１ｎおよびＣＯＮＴ４２は、例えば、マイコン等を実装している半導体回路基板等のハードウエアで構成されていることを想定している。しかし、処理内容が記述されているプログラムをコンピュータのメモリに格納し、コンピュータのＣＰＵがメモリに格納されているプログラムを実行するソフトウエアで構成するようにしても良い。
【００２７】
図３は本発明の実施の形態１によるＰＯＮシステムの処理を示すシーケンス図である。
この処理は、マルチキャスト転送において、ＯＬＴ４の監視装置からＯＬＴ４のみを対象としたリセット通知が発行され、かつＯＬＴ４がリセットしている間にＯＮＵ２ａがエンドユーザによって電源が一旦、オフされ、その後、オンされて、ＯＮＵ２ａのフィルタ情報が初期化される場面を想定し、ＯＬＴ４の再起動後にＯＬＴ４、ＯＮＵ２ａおよび端末装置１ａがそれぞれのフィルタ情報を同期する処理を示すシーケンス図である。
【００２８】
なお、本実施の形態１において、マルチキャスト管理テーブルとは、マルチキャストフレームの転送先を管理するためのテーブルであり、揮発性記憶手段４１１ａに記憶されたものである。
フィルタ情報とは、個々の転送先に対するマルチキャストフレームの転送可否（通過・廃棄）を示す情報であり、マルチキャスト管理テーブルに含まれるものである。
マルチキャスト管理テーブルおよびフィルタ情報は、配信要求および配信停止などのマルチキャスト制御信号に応じて、その都度設定され、変化する。
マルチキャスト管理テーブルおよびフィルタ情報は、揮発性記憶手段４１１ａに記憶されているので、揮発性記憶手段４１１ａをリセットすると、これらの情報は失われる。
ＯＮＵ２ａとＰＯＮ−ＩＦ４１ａは、それぞれがフィルタ情報を含むマルチキャスト管理テーブルを記憶しているが、本実施の形態１では、ＰＯＮ−ＩＦ４１ａのリセット直前に、フィルタ情報を含むマルチキャスト管理テーブルを不揮発性記憶手段４１２ａに一旦退避させ、リセット後に、不揮発性記憶手段４１２ａから揮発性記憶手段４１１ａに書き戻すことによって、素早く復元するものである。
【００２９】
次に動作について説明する。
初期状態として、ＯＮＵ２ａの配下に端末装置１ａ〜１ｃの３つの装置が存在し、端末装置１ａの配下の末端装置９ａ（例えばテレビ）に対してのみ、ＯＬＴ４からＯＮＵ２ａを経由してマルチキャストフレームが送信されているものとする。
【００３０】
このとき、端末装置１ａ、ＯＮＵ２ａ、ＯＬＴ４のフィルタ情報（Ｆ０１１、Ｆ０２１、Ｆ０３１）は、末端装置９ａまでマルチキャストフレームが到達できるよう、ＯＬＴ４から末端装置９ａまでの経路上にあるノードに対してのみ、マルチキャストフレームを透過するように設定されている（同期している）。
ＯＬＴ４の転送制御手段４１３ａは、このとき、フィルタ情報を含むマルチキャスト管理テーブルに基づいてマルチキャストフレームの転送先を制御している。
【００３１】
最初に、ＯＬＴ４のＣＯＮＴ４２に対して、ＯＬＴ４のリセット通知が伝達される（Ｓ００１）。ＣＯＮＴ４２は、ＰＯＮ−ＩＦ４１ａに対してリセットを実施する命令を出す（Ｓ００２）とともに、ＣＯＮＴ４２自身にリセットを実施して（Ｓ００３）、リセット状態となる（Ｓ００４）。なお、図３ではＣＯＮＴ４２とＰＯＮ−ＩＦ４１ａがリセットされる例を示しているが、ＰＯＮ−ＩＦ４１ａのみがリセットされても良い。
【００３２】
ＰＯＮ−ＩＦ４１ａの情報移動手段４１４ａは、Ｓ００２のリセット命令を受信すると、揮発性記憶手段４１１ａに記憶されているフィルタ情報を含むマルチキャスト管理テーブルを不揮発性記憶手段４１２ａに退避した後（Ｓ０１１）、ＰＯＮ−ＩＦ４１ａ自身をリセットし（Ｓ０１２）、リセット（再起動）状態となる（Ｓ０１３）。このとき、ＰＯＮ−ＩＦ４１ａの揮発性記憶手段４１１ａに記憶されている、フィルタ情報を含むマルチキャスト管理テーブルは、一度全て初期化される。
【００３３】
続いて、ＰＯＮ−ＩＦ４１ａがリセット状態中に、ＯＮＵ２ａがエンドユーザによって電源を一旦オフにし、その後、オンにされる（Ｓ０２１）。これにより、ＯＮＵ２ａの持つ、フィルタ情報を含むマルチキャスト管理テーブルは、初期化され、ＯＮＵ２ａのフィルタ情報は、Ｆ０２１のように、全て廃棄状態となる。
【００３４】
その後、リセットを実施したＰＯＮ−ＩＦ４１ａが再起動すると、まず、情報移動手段４１４ａによりＳ０１１で不揮発性記憶手段４１２ａに退避した、フィルタ情報を含むマルチキャスト管理テーブルを、揮発性記憶手段４１１ａに書き戻す（Ｓ０１４）。この時点での端末装置１ａ、ＯＮＵ２ａ、ＯＬＴ４のフィルタ情報（Ｆ０１１、Ｆ０２１、Ｆ０３１）は、ＯＮＵ２ａのフィルタ情報が初期化されたため同期が取れておらず、ＯＬＴ４から転送された末端装置９ａ向けのマルチキャストフレームは、ＯＮＵ２ａにて廃棄され、末端装置９ａはマルチキャストフレームを受信できない。
【００３５】
そのため、ＰＯＮ−ＩＦ４１ａの情報転送手段４１５ａは、Ｓ０１４でフィルタ情報を含むマルチキャスト管理テーブルを書き戻すと、ＯＮＵ２ａのフィルタ情報に関わらず、自身の持つフィルタ情報と同一内容となるよう、ＯＮＵ２ａに対してフィルタ情報の設定要求を行う（Ｓ０１５）。
【００３６】
ＯＮＵ２ａは、フィルタ情報の設定要求を受信すると、その内容に応じてフィルタ情報を書き換え、設定完了の応答をＰＯＮ−ＩＦ４１ａへ返す（Ｓ０２３）。
これにより、ＯＬＴ４とＯＮＵ２ａのフィルタ情報は同期が取れる。
【００３７】
また、図３の例では、既にＯＬＴ４と端末装置１ａのフィルタ情報は一致しているため、この時点で、端末装置１ａ、ＯＮＵ２ａ、ＯＬＴ４のフィルタ情報の同期処理が完了する。
【００３８】
図３では、この後に、ＰＯＮ−ＩＦ４１ａが端末装置１ａの視聴状況を調査する処理を行っているが、これはリセット直後だけではなく、通常のマルチキャスト通信時であっても、定期的に同じ処理を行っている。
【００３９】
なお、Ｓ０２３において、ＯＬＴ４とＯＮＵ２ａの同期が取れた時点で、端末装置１ａのフィルタ情報と同期が取れていない場合には、この処理を実施することで、最終的に端末装置１ａ、ＯＮＵ２ａ、ＯＬＴ４のフィルタ情報の同期処理が完了する。
【００４０】
具体的には、ＰＯＮ−ＩＦ４１ａの情報転送手段４１５ａは、自身持つフィルタ情報のうち、マルチキャストフレームの転送を行っている端末装置１ａに対して、現在も視聴中であることを確認するためのクエリを送信する（Ｓ０１６）。このとき、端末装置１ａがクエリ中のチャネルを視聴中であるならば、応答を返し（Ｓ０３１）、視聴中でなければ応答を返さない。
【００４１】
ＰＯＮ−ＩＦ４１ａの情報転送手段４１５ａは、Ｓ０３１の応答が返って来た場合には、今後も継続してマルチキャストフレームを転送するため、フィルタ情報の修正を行わないが、Ｓ０３１の応答が無い場合、端末装置１ａへの転送を止めるため、該当するフィルタ情報を書き換え、Ｓ０１５、Ｓ０２３と同様の手順（Ｓ０１８、Ｓ０２４）で修正した内容をＯＮＵ２ａに対して反映させる。
【００４２】
以上の一連の処理により、ＯＬＴ４がリセットされ、その期間中にＯＮＵ２ａや端末装置１ａのフィルタ情報に変更があった場合にも、最終的に端末装置１ａ、ＯＮＵ２ａ、ＯＬＴ４のフィルタ情報を同期することができる。
【００４３】
以上のように、本実施の形態１によれば、リセット直前のフィルタ情報を含むマルチキャスト管理テーブルを不揮発性記憶手段４１２ａに退避させ、その後、揮発性記憶手段４１１ａに書き戻し、書き戻されたフィルタ情報をＯＮＵ２ａに転送するようにしたので、ＯＬＴ４のリセット後のフィルタ情報を含むマルチキャスト管理テーブルを再構築する際に、端末装置１ａ〜１ｃに対するフィルタ情報収集を行うことなく、ＯＬＴ４とＯＮＵ２ａとにおいてフィルタ情報の同期を素早く実現することができる。
【００４４】
また、端末装置１ａに視聴中の有無を確認し、応答に応じてフィルタ情報を書き換え、書き換えられたフィルタ情報をＯＮＵ２ａに転送すると共に、設定要求するようにしたので、ＯＬＴ４とＯＮＵ２ａと端末装置１ａとにおいてフィルタ情報の同期を実現することができる。
【００４５】
さらに、ＯＮＵ２ａおよび端末装置１ａの機能追加を一切行うことなく、ＯＬＴ４とＯＮＵ２ａとにおいてフィルタ情報の同期を実現することができる。
【００４６】
さらに、リセット直前のフィルタ情報を含むマルチキャスト管理テーブルを不揮発性記憶手段４１２ａに退避させ、その後、揮発性記憶手段４１１ａに書き戻すようにしたので、マルチキャスト管理テーブルを正確に復旧することができる。
【００４７】
例えば、ＯＬＴのマルチキャスト管理テーブルとして、過去のフィルタ情報の履歴を保持する機能を備え、一方、端末装置に、ある瞬間でのフィルタ情報のみ保持する機能を備えたシステムを対象とする。
こうしたシステムを対象とした場合、背景技術のように、全ての端末装置から取得されるフィルタ情報に基づいてＯＬＴのマルチキャスト管理テーブルを再構築するのでは、過去のフィルタ情報の履歴を再構築することができない。
これに対して、本実施の形態１によれば、過去のフィルタ情報の履歴も含めて不揮発性記憶手段４１２ａに退避させ、その後、揮発性記憶手段４１１ａに書き戻すので、過去のフィルタ情報の履歴も含めてマルチキャスト管理テーブルを正確に復旧することができる。
【００４８】
実施の形態２．
図４は本発明の実施の形態２によるＰＯＮシステムの詳細構成を示す構成図であり、図４において、不揮発性記憶手段４２１は、ＰＯＮ−ＩＦ４１ａに代えて、ＣＯＮＴ４２に設けられる。
その他の構成については、実施の形態１の図２と同様である。
図５は本発明の実施の形態２によるＰＯＮシステムの処理を示すシーケンス図である。
【００４９】
次に動作について説明する。
上記実施の形態１では、揮発性記憶手段４１１ａに記憶された、フィルタ情報を含むマルチキャスト管理テーブルを退避する際に、ＰＯＮ−ＩＦ４１ａに設けられた不揮発性記憶手段４１２ａを利用するものを示したが、本実施の形態２では、ＣＯＮＴ４２に設けられた不揮発性記憶手段４２１を利用するものである。
【００５０】
本実施の形態２では、まず、ＰＯＮ−ＩＦ４１ａの情報移動手段４１４ａは、ＣＯＮＴ４２からリセット命令Ｓ００２を受信した後に、ＣＯＮＴ４２の不揮発性記憶手段４２１に対して、フィルタ情報を含むマルチキャスト管理テーブルの書き出しを行う（Ｓ０５１）。
【００５１】
フィルタ情報を含むマルチキャスト管理テーブルをＣＯＮＴ４２の不揮発性記憶手段４２１に退避させた後に、情報移動手段４１４ａは、ＰＯＮ−ＩＦ４１ａをリセットし（Ｓ０１２）、ＣＯＮＴ４２は、自身をリセットする（Ｓ００３）。
なお、上記実施の形態１と同様に、図５では、ＰＯＮ−ＩＦ４１ａとＣＯＮＴ４２がともにリセットする例を示したが、ＰＯＮ−ＩＦ４１ａのみがリセットされても良い。
【００５２】
ＰＯＮ−ＩＦ４１ａの情報移動手段４１４ａは、再起動後、ＣＯＮＴ４２に対してＳ０５１にて不揮発性記憶手段４２１に退避した、フィルタ情報を含むマルチキャスト管理テーブルの書き戻しを要求し（Ｓ０５２）、フィルタ情報を含むマルチキャスト管理テーブルを、揮発性記憶手段４１１ａに書き戻す（Ｓ０５３）。
その後の処理は、上記実施の形態１の図３と全く同様である。
【００５３】
以上のように、本実施の形態２によれば、不揮発性記憶手段４２１をＣＯＮＴ４２に設けたので、上記実施の形態１のように、不揮発性記憶手段４１２ａをＰＯＮ−ＩＦ４１ａに設けることなく、ＰＯＮ−ＩＦ４１ａの構成諸元を最小限とするＯＴＬ４のアーキテクチャ設計において有用となる。
【００５４】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５５】
１ａ〜１ｃ  端末装置、２ａ〜２ｃ  ＯＮＵ（加入者側装置）、３  光スプリッタ、４  ＯＬＴ（局側装置）、５  上位ネットワーク、６  レイヤ２スイッチ、７  マルチキャストルータ、８  映像配信サーバ、９ａ〜９ｃ  末端装置、４１ａ〜４１ｎ  ＰＯＮ−ＩＦ（インタフェース手段）、４２  ＣＯＮＴ（監視手段）、４１１ａ  揮発性記憶手段、４１２ａ，４２１  不揮発性記憶手段、４１３ａ  転送制御手段、４１４ａ  情報移動手段、４１５ａ  情報転送手段。
【図１】
2013162158.tif 000003
【図２】
2013162158.tif 000004
【図３】
2013162158.tif 000005
【図４】
2013162158.tif 000006
【図５】
2013162158.tif 000007